【手続補正書】
【提出日】平成15年10月20日(2003.10.20)
【手続補正１】
【補正対象書類名】明細書
【補正対象項目名】特許請求の範囲
【補正方法】変更
【補正の内容】
【特許請求の範囲】
【請求項１】
ワークスペースにユーザの操作に基づいてアクセス可能にデータオブジェクトが保持される電子ファイル装置において、
ワークスペースが保持するデータオブジェクトを表示するワークスペース表示手段と、
表示されたワークスペース上のデータオブジェクトに対して、ユーザ操作に応じて表示・編集などのアクセスを行うデータオブジェクトアクセス手段と、
データオブジェクトに対するアクセスを規制する制御領域を、データオブジェクトに重ねてワークスペース上に表示する制御領域表示手段と、
を備えることを特徴とする電子ファイル装置。
【請求項２】
請求項１に記載の電子ファイル装置において、更に、
ユーザに応じたアクセス権が設定されデータオブジェクト実体および該データオブジェクトのワークスぺース上の位置を記憶するデータオブジェクト記憶手段と、
制御領域の位置および範囲を記憶する制御領域記憶手段と、
ワークスペースを操作するユーザの識別子を記憶するユーザ記憶手段と、
ユーザ記憶手段が保持するユーザ情報と、データオブジェクト記憶手段が保持するデータオブジェクト情報、および制御領域記憶手段が保持する制御領域情報からユーザのアクセス権に基づいて、ワークスペースの制御領域内に位置するデータオブジェクトをワークスペース表示手段に表示させるか否かを判断する表示データオブジェクト計算手段と、
を備えることを特徴とする電子ファイル装置。
【請求項３】
請求項２に記載の電子ファイル装置において、更に、
ユーザ記憶手段が保持するユーザ情報およびデータオブジェクト記憶手段が保持するデータオブジェクト情報に基づいて、ユーザ操作によるデータオブジェクトへのアクセスが許可されるかを検証してデータオブジェクトアクセス手段にアクセスを実行させるアクセス権検証手段を、備えることを特徴とする電子ファイル装置。
【請求項４】
請求項１に記載の電子ファイル装置において、更に、
ユーザ操作に応じて、ワークスペース表示手段により表示されるデータオブジェクトをワークスペース内での表示位置を移動させるデータオブジェクト移動手段と、
移動されるデータオブジェクトに追随して制御領域を編集して、制御領域により制御されるデータオブジェクトが移動後も当該制御領域内の含まれるようにする制御領域編集手段と、
を備えることを特徴とする電子ファイル装置。
【請求項５】
請求項１に記載の電子ファイル装置において、更に、
制御領域表示手段により表示される制御領域を変更するための条件を保持する制御領域変更条件保持手段と、
制御領域変更条件保持手段が保持する条件が成立した時に、制御領域表示手段により表示される制御領域に変更を加える制御領域編集手段と、
を備えることを特徴とする電子ファイル装置。
【請求項６】
請求項２に記載の電子ファイル装置において、更に、
ユーザ記憶手段が保持するユーザ情報に対し、制御領域記憶手段が保持する制御領域をアクセス権に応じて公開するレベルを設定するための公開レベル設定手段を備え、
表示データオブジェクト計算手段は、公開レベル設定手段で設定されたレベルに応じて、データオブジェクトをワークスペース表示手段に表示させるか否かを判断することを特徴とする電子ファイル装置。
【請求項７】
請求項６に記載の電子ファイル装置において、
表示データオブジェクト計算手段は、重なり合った複数の制御領域について、表示を要求するユーザが持つ各制御領域毎のアクセス権に基づいて、当該ユーザに対して表示するデータオブジェクトを決定することを特徴とする電子ファイル装置。
【請求項８】
請求項２に記載の電子ファイル装置において、更に、
データオブジェクトに対するユーザ操作を監視する監視手段と、
データオブジェクト記憶手段に蓄積されたワークスペースの状態を検索する検索手段と、を備え、
データオブジェクト記憶手段は、監視手段により検出したユーザ操作に基づいてワークスペースの過去の状態も履歴として蓄積し、
ワークスペース表示手段は、検索手段により検索された過去のワークスペースを表示可能であり、更に、
データオブジェクト記憶手段に蓄積された履歴から検索手段により検索されたワークスペースの状態について、該ワークスペースより時間的に後に蓄積されたワークスペースを検索手段に検索させて、該ワークスペースに含まれるデータオブジェクトの内で以降に制御領域下にあるものを調査する制御履歴調査手段を備え、
表示データオブジェクト計算手段は、制御履歴調査手段により調査された結果に基づいて、制御領域表示手段に該ワークスペースに対して制御領域を追加して表示させることを特徴とする電子ファイル装置。
【請求項９】
請求項２に記載の電子ファイル装置において、更に、
ユーザ操作に応じて制御領域を編集する編集手段を備えることを特徴とする電子ファイル装置。
【請求項１０】
請求項２に記載の電子ファイル装置において、
ユーザ情報は、アクセス権はユーザの個人単位あるいは複数のユーザを含むグループ単位で設定されていることを特徴とする電子ファイル装置。
【請求項１１】
ワークスペースにユーザの操作に基づいてアクセス可能にデータオブジェクトが保持される電子ファイル装置において、アクセスを制御する方法であって、
電子ファイル装置のワークスペース表示手段がワークスペースが保持するデータオブジェクトを表示し、
電子ファイル装置の制御領域表示手段がデータオブジェクトに対するアクセスを規制する制御領域を、データオブジェクトに重ねてワークスペース上に表示し、
電子ファイル装置のデータオブジェクトアクセス手段が表示されたワークスペース上のデータオブジェクトに対して、ユーザ操作に応じて表示・編集などのアクセスを行う、
ことを特徴とする電子ファイル装置におけるアクセス制御方法。
【手続補正２】
【補正対象書類名】明細書
【補正対象項目名】発明の名称
【補正方法】変更
【補正の内容】
【発明の名称】電子ファイル装置及び電子ファイル装置におけるアクセス制御方法
【手続補正３】
【補正対象書類名】明細書
【補正対象項目名】００１７
【補正方法】変更
【補正の内容】
【００１７】
また、本発明では、更に、データオブジェクトに対するユーザ操作を監視する監視手段と、データオブジェクト記憶手段に蓄積されたワークスペースの状態を検索する検索手段と、を備え、データオブジェクト記憶手段は、監視手段により検出したユーザ操作に基づいてワークスペースの過去の状態も履歴として蓄積し、ワークスペース表示手段は、検索手段により検索された過去のワークスペースを表示可能である。そして、データオブジェクト記憶手段に蓄積された履歴から検索手段により検索されたワークスペースの状態について、該ワークスペースより時間的に後に蓄積されたワークスペースを検索手段に検索させて、該ワークスペースに含まれるデータオブジェクトの内で以降に制御領域下にあるものを調査する制御履歴調査手段を備え、表示データオブジェクト計算手段は、制御履歴調査手段により調査された結果に基づいて、制御領域表示手段に該ワークスペースに対して制御領域を追加して表示させる。
これによって、例えば現時点で設定されている制御領域を過去のワークスペースに反映させて、現時点でアクセス制御したデータオブジェクトが過去のワークスペースを開くことによりアクセスできてしまう事態を防止する。
また、本発明に係るアクセス制御方法では、ワークスペースにユーザの操作に基づいてアクセス可能にデータオブジェクトが保持される電子ファイル装置において、ワークスペースが保持するデータオブジェクトを表示し、データオブジェクトに対するアクセスを規制する制御領域を、データオブジェクトに重ねてワークスペース上に表示し、表示されたワークスペース上のデータオブジェクトに対して、ユーザ操作に応じて表示・編集などのアクセスを行う。
【手続補正４】
【補正対象書類名】明細書
【補正対象項目名】００１８
【補正方法】変更
【補正の内容】
【００１８】
【発明の実施の形態】
本発明に係る電子ファイル装置及び電子ファイル装置におけるアクセス制御方法を実施例に基づいて具体的に説明する。
図１には、本発明の第１実施例に係る電子ファイル装置の構成を示してある。
ここで、以下の実施例で示す電子ファイル装置は、ネットワーク１を介して接続されたサーバ２とクライアント３により構成されており、サーバ２及びクライアント３はどちらもワークステーションやパーソナルコンピュータ等といった計算機により構成されている。なお、本実施例ではクライアント・サーバによる実施形態をとっているが、本発明はこのような形態に限定されず、例えばネットワークを用いずに１台の計算機内に電子ファイル装置を構成するようにしてもよい。